【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
一つ以上の電子文書記憶手段を備えたネットワークに接続され、電子文書の交換・閲覧により複数のユーザが討論を行うための電子的討論支援装置であって、
討論における意見を少なくとも意見の属性情報と他の意見への関連情報とに関連付けられた電子文書とするとともに、少なくとも討論の属性情報と討論に係る意見を表現する電子文書の実体又は参照とを含む討論管理データを討論毎に管理しており、
また、前記電子文書および前記討論管理データに対する検索式に応じて検索処理を行う電子文書抽出機能部を有し、
当該電子文書抽出機能部は、前記検索式に適合する複数の前記電子文書の実体又は参照を検索して、これらの検索結果を前記討論管理データ毎に分割して抽出し、少なくとも抽出された前記電子文書の実体又は参照の抽出元となった討論管理データの論理的位置情報と抽出された複数の前記電子文書の実体又は参照とを含む検索結果管理データを生成して、これらの複数の検索結果管理データをもって前記検索式に基づく検索結果とすることを特徴とする電子的討論支援装置。
【請求項２】
請求項１に記載の電子的討論支援装置において、
ユーザによる前記検索式の入力を受け付けて当該検索式を前記電子文書抽出機能部に渡し、また、前記電子文書抽出機能部が抽出した前記検索結果を受け取って当該検索結果を表示するユーザ・インタフェース手段を備えたことを特徴とする電子的討論支援装置。
【請求項３】
請求項２に記載の電子的討論支援装置において、
前記ユーザ・インタフェース手段はユーザが操作するクライアント装置に備えられ、
前記電子文書抽出機能部は当該クライアント装置にネットワークを介して接続されたサーバ装置に備えられていることを特徴とする電子的討論支援装置。
【請求項４】
請求項２又は請求項３に記載の電子的討論支援装置において、
前記電子文書抽出機能部を複数備え、各電子文書抽出機能部は、他の電子文書抽出機能部との間で前記検索式を授受する検索連係手段を備えており、
前記ユーザ・インタフェース手段は複数の電子文書抽出機能部から受け取った前記検索結果を表示することを特徴とする電子的討論支援装置。
【請求項５】
請求項２又は請求項３に記載の電子的討論支援装置において、
前記検索式を記憶する検索式記憶手段を備え、
前記電子文書抽出機能部は当該検索式記憶手段に記憶されている検索式に基づいて繰り返し前記検索結果を抽出し、
前記ユーザ・インタフェース手段は当該電子文書抽出機能部により検索結果が抽出される毎に表示の更新を繰り返すことを特徴とする電子的討論支援装置。
【請求項６】
請求項２又は請求項３に記載の電子的討論支援装置において、
前記ユーザ・インタフェース手段は、ユーザによる検索結果を評価する評価関数の入力を受け付けて、入力された前記評価関数により前記電子文書抽出機能部から受け取った前記検索結果を評価して表示することを特徴とする電子的討論支援装置。
【請求項７】
請求項２又は請求項３に記載の電子的討論支援装置において、
複数のユーザに対する前記検索結果に含まれる前記討論管理データの間で高い類似度をもつ討論管理データの組を抽出し、それら高い類似度をもつ討論管理データの組が多数のユーザに対する検索結果から共通して抽出される場合に、当該高い類似度をもつ前記討論管理データの組をもって判断結果とし、当該判断結果をユーザ・インタフェース手段に告知する討論関連生成手段を備え、
前記ユーザ・インタフェース手段は前記討論関連生成手段が告知する前記判断結果に基づいて関連性を示す表示を行うことを特徴とする電子的討論支援装置。
【請求項８】
請求項６に記載の電子的討論支援装置において、
前記ユーザ・インタフェース手段は、前記検索結果を構成する複数の前記検索結果管理データのそれぞれを表現する文字列又は図形を、前記評価関数の値の順序に表示することを特徴とする電子的討論支援装置。
【請求項９】
請求項６に記載の電子的討論支援装置において、
前記ユーザ・インタフェース手段は、前記評価関数の値を軸とする任意の次元のグラフ中に、前記検索結果を構成する複数の前記検索結果管理データのそれぞれを表現する文字列又は図形を位置づけて前記検索結果を表示することを特徴とする電子的討論支援装置。
【請求項１０】
請求項８又は請求項９に記載の電子的討論支援装置において、
前記ユーザ・インタフェース手段は、前記検索結果管理データを表現する文字列又は図形を表示するとともに、ユーザによる当該表示への操作指示を受け付けて、指示された表示に対応する前記検索結果管理データが保持する前記電子文書の実体又は参照先の電子文書を表現する文字列又は図形を表示することを特徴とする電子的討論支援装置。
【請求項１１】
請求項８又は請求項９に記載の電子的討論支援装置において、
前記ユーザ・インタフェース手段は、
前記検索結果管理データを表現する文字列又は図形を表示するとともに、ユーザによる当該表示への操作指示を受け付けて、指示された表示に対応する前記検索結果管理データが保持する前記電子文書の実体又は参照先の前記電子文書を表現する文字列又は図形を、前記電子文書間の関連情報とともに表示し、
当該表示において、前記検索結果管理データが保持する前記電子文書の実体又は参照先の電子文書に該当する文字列又は図形を、前記電子文書の実体又は参照先の電子文書に該当しない文字列又は前記図形とは異なる形態で表示することを特徴とする電子的討論支援装置。
【請求項１２】
請求項１０又は請求項１１に記載の電子的討論支援装置において、
前記ユーザ・インタフェース手段は、前記電子文書の実体又は参照の電子文書を表現する文字列又は前記図形に対応する電子文書の内容を表示することを特徴とする電子的討論支援装置。
【請求項１３】
少なくとも意見の属性情報と他の意見への関連情報とに関連付けられた電子文書を討論における意見として用い、電子文書の交換・閲覧により複数のユーザが討論を行うための電子的討論を支援装置により支援する方法であって、
少なくとも討論の属性情報と討論に係る意見を表現する電子文書の実体又は参照とを含む討論管理データを討論毎に複数管理しておき、
前記電子文書および前記討論管理データに対する検索式に応じて検索処理を行う支援装置の電子文書抽出機能部が、前記検索式に適合する複数の前記電子文書の実体又は参照を検索して、これらの検索結果を前記討論管理データ毎に分割して抽出し、少なくとも抽出された前記電子文書の実体又は参照の抽出元となった討論管理データの論理的位置情報と抽出された複数の前記電子文書の実体又は参照とを含む検索結果管理データを生成して、これらの複数の検索結果管理データをもって前記検索式に基づく検索結果として提供することを特徴とする電子的討論支援方法。
【請求項１４】
少なくとも意見の属性情報と他の意見への関連情報とに関連付けられた電子文書を討論における意見として用い、電子文書の交換・閲覧により複数のユーザが討論を行うための電子的討論を支援する方法であって、
少なくとも討論の属性情報と討論に係る意見を表現する電子文書の実体又は参照とを含む討論管理データを討論毎に複数管理しておき、
前記電子文書および前記討論管理データに対する検索式に適合する複数の前記電子文書の実体又は参照を検索して、これらの検索結果を前記討論管理データ毎に分割して抽出し、
少なくとも抽出された前記電子文書の実体又は参照の抽出元となった討論管理データの論理的位置情報と抽出された複数の前記電子文書の実体又は参照とを含む検索結果管理データを生成して、これらの複数の検索結果管理データをもって前記検索式に基づく検索結果として提供することを特徴とする電子的討論支援方法。